(57)【要約】【課題】沈殿槽のピット内における沈殿物の固結固着を抑制ことができる凝集沈殿装置及び沈殿槽と、凝集沈殿装置の制御方法を提供する。【解決手段】原水中の懸濁物質を沈降促進材と凝集剤の添加によりフロックとして凝集させる第１，２の凝集槽２，３と、沈殿槽４と、沈殿槽４から抜き出したスラリーを汚泥と沈降促進材とに分離し、分離した沈降促進材を前記凝集槽３に戻すサイクロン２０と、沈殿槽４のピット１７に設けられた下方に延伸する棒形または帯形の長尺部材を含む撹拌部材３０とを有する。撹拌部材３０は、放射方向のアーム３３と、アームに垂設された撹拌バー３４，３５とを有する。【選択図】図１
2020025920.tif 000002
【特許請求の範囲】
【請求項１】
原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置において、
該ピット内のスラリーを撹拌するピット撹拌手段が設けられており、
該ピット撹拌手段は、上下方向に延在する回転軸と、該回転軸を回転させる駆動手段と、一端が該回転軸に固定され、他端が棒形または帯形の長尺部材として下方向に延伸して下端がピット内に位置する撹拌部材とを有することを特徴とする凝集沈殿装置。
【請求項２】
前記撹拌部材は、前記回転軸から放射方向に延出したアームと、該アームから下方に延在する撹拌バーであることを特徴とする、請求項１に記載の凝集沈殿装置。
【請求項３】
前記アームは、前記回転軸の周方向に間隔をおいて複数本設けられており、
各アームに、アーム長手方向に間隔をおいて複数本の前記撹拌バーが設置されていることを特徴とする、請求項２に記載の凝集沈殿装置。
【請求項４】
前記撹拌バーは、垂直に交わる第１片及び第２片を備えた、Ｌ字形の水平断面形状を有しており、
該第１片が前記放射方向を指向していることを特徴とする、請求項３に記載の凝集沈殿装置。
【請求項５】
前記ピットの側周面は下方ほど小径となっており、
前記撹拌バーとして、下端がピットの底面の上方に位置する第１の撹拌バーと、下端が該側周面の上方に位置する第２の撹拌バーとが設けられており、
該第１の撹拌バーの下端は第２の撹拌バーの下端よりも下位となっていることを特徴とする、請求項３又は４に記載の凝集沈殿装置。
【請求項６】
前記凝集沈殿装置による凝集沈殿処理運転の停止期間中に間欠的又は連続的に前記第２凝集槽の撹拌手段を作動させる撹拌制御手段を備えたことを特徴とする、請求項１〜５のいずれか１項に記載の凝集沈殿装置。
【請求項７】
前記第１凝集槽への原水供給を停止し、所定時間が経過した後に前記引抜ポンプを停止する制御部を備えたことを特徴とする請求項１〜５のいずれか１項に記載の凝集沈殿装置。
【請求項８】
原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、
該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置において、
該第１凝集槽への原水供給を停止し、所定時間が経過した後に前記引抜ポンプを停止する制御部を備えた
ことを特徴とする凝集沈殿装置。
【請求項９】
前記凝集沈殿装置は、凝集沈殿処理運転の停止期間中に間欠的又は連続的に前記第２凝集槽内を撹拌することを特徴とする、請求項８に記載の凝集沈殿装置。
【請求項１０】
原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、
該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置を制御する方法において、
該凝集沈殿装置を停止させるときに、該第１凝集槽への原水供給を停止し、所定時間が経過した後に前記引抜ポンプを停止するよう制御することを特徴とする凝集沈殿装置の制御方法。
【請求項１１】
底部にピットを有する沈殿槽において、
該ピット内のスラリーを撹拌するピット撹拌手段が設けられており、
該ピット撹拌手段は、上下方向に延在する回転軸と、該回転軸を回転させる駆動手段と、一端が該回転軸に固定され、他端が棒形または帯形の長尺部材として下方向に延在して下端がピット内に位置する撹拌部材とを有することを特徴とする沈殿槽。
【発明の詳細な説明】
【技術分野】
【０００１】
本発明は、懸濁物質を含む原水に沈降促進材と凝集剤を添加して凝集沈殿させて汚泥と処理水とに分離する凝集沈殿装置およびその制御方法に関し、とくに沈殿槽から抜き出したスラリーをサイクロンにより汚泥と沈降促進材とに分離し、沈降促進材を凝集槽に返送するよう構成された凝集沈殿装置およびその制御方法に関する。また、本発明は、この凝集沈殿装置に用いるのに好適な沈殿槽に関する。
【背景技術】
【０００２】
懸濁物質（以下、ＳＳ[Suspended  Solid]  と称することもある。）を原水中から凝集沈殿により分離除去する凝集沈殿装置として、原水に粒径１０〜２００μｍ程度の粒状物（砂など）よりなる沈降促進材と凝集剤とを添加して凝集フロックを形成させる凝集槽と、凝集槽から流出する凝集フロックを沈降分離する沈殿槽と、沈殿槽から引き抜いたスラリーを粒状物と汚泥に分離するサイクロンとを備え、粒状物を凝集槽に返送し、汚泥を排出するよう構成された装置が知られている（特許文献１〜３）。
【０００３】
特許文献１〜３の凝集沈殿装置にあっては、凝集槽に導入された原水に無機凝集剤を添加して攪拌機で攪拌し、次いで高分子凝集剤を添加して凝集槽に導入し、攪拌機で攪拌して粒状物（砂など）とともに凝集フロックを形成させる。この凝集処理水を沈殿槽に導入して沈降分離し、沈殿槽上部から処理水を流出させる。また、沈殿槽の下部から引抜ポンプによりスラリーを抜き出し、サイクロンに送る。サイクロンでは、汚泥と粒状物とを遠心分離し、分離された汚泥が凝集沈殿装置外に排出される。サイクロンで分離された粒状物は凝集槽に返送され、再度沈殿分離に利用される。
【先行技術文献】
【特許文献】
【０００４】
【特許文献１】特開２０００−３１７２２０号公報
【特許文献２】特開２００２−３５５５０７号公報
【特許文献３】特開２０１４−２３７１２２号公報
【発明の概要】
【発明が解決しようとする課題】
【０００５】
このような凝集沈殿装置の配管や沈殿槽のピットにあっては、スラリーが沈降促進材を含むところから、沈殿物等が固化し、閉塞が生じる恐れがある。
【０００６】
沈殿槽のピットの閉塞を防止するために、ピット内に回転翼を設けることが考えられる。
【０００７】
ピットに回転翼を設けた場合、翼とピット内の沈殿物との接触面積が大きい。そのため、沈殿物が固結した場合や、沈殿物が大量になったりした場合には、翼を駆動できなくなるおそれがある。また、それを防ぐために、トルクの大きい駆動装置を設置することが必要となる。
また、回転翼を用いると、ピット内の凝集フロックがピット内液ごと回転して共回りが発生する可能性がある。この場合、沈殿物の固結の抑制効果が弱くなることが懸念される。
【０００８】
本発明は、沈殿槽のピット内における沈殿物を十分にほぐして固結しないよう分散させることができる凝集沈殿装置及び沈殿槽と、凝集沈殿装置の制御方法を提供することを目的とする。
【課題を解決するための手段】
【０００９】
第１発明の凝集沈殿装置は、原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置において、該ピット内のスラリーを撹拌するピット撹拌手段が設けられており、該ピット撹拌手段は、上下方向に延在する回転軸と、該回転軸を回転させる駆動手段と、一端が該回転軸に固定され、他端が棒形または帯形の長尺部材として下方向に延伸して下端がピット内に位置する撹拌部材とを有することを特徴とする。
【００１０】
本発明の一態様では、前記撹拌部材は、前記回転軸から放射方向に延出したアームと、該アームから下方に延在する撹拌バーである。
【００１１】
本発明の一態様では、前記アームは、前記回転軸の周方向に間隔をおいて複数本設けられており、各アームに、アーム長手方向に間隔をおいて複数本の前記撹拌バーが設置されている。
【００１２】
本発明の一態様では、前記撹拌バーは、垂直に交わる第１片及び第２片を備えた、Ｌ字形の水平断面形状を有しており、該第１片が前記放射方向を指向している。
【００１３】
本発明の一態様では、前記ピットの側周面は下方ほど小径となっており、前記撹拌バーとして、下端がピットの底面の上方に位置する第１の撹拌バーと、下端が該側周面の上方に位置する第２の撹拌バーとが設けられており、該第１の撹拌バーの下端は第２の撹拌バーの下端よりも下位となっている。
【００１４】
本発明の一態様では、前記凝集沈殿装置による凝集沈殿処理運転の停止期間中に間欠的又は連続的に前記第２凝集槽の撹拌手段を作動させる撹拌制御手段を備える。
【００１５】
本発明の一態様では、前記第１凝集槽への原水供給を停止し、所定時間が経過した後に前記引抜ポンプを停止する制御部を備える。
【００１６】
第２発明の凝集沈殿装置の制御方法は、原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置において、該第１凝集槽への原水供給を停止し、所定時間が経過した後に前記引抜ポンプを停止する制御部を備えたことを特徴とする。
【００１７】
第２発明の一態様では、前記凝集沈殿装置は、凝集沈殿処理運転の停止期間中に間欠的又は連続的に前記第２凝集槽内を撹拌する。
【００１８】
第３発明の凝集沈殿装置の制御方法は、原水が導入され、第１凝集剤により凝集処理する第１凝集槽と、該第１凝集槽から排出された第１凝集処理水が導入され、第２凝集剤と沈降促進材により凝集処理する第２凝集槽と、該第２凝集槽から排出された第２凝集処理水が導入され、処理水とスラリーとに沈降分離する沈殿槽と、該沈殿槽の底部に設けられたピットと、該ピットからスラリーを抜き出す引抜ポンプと、該ピットから抜き出したスラリーを分離汚泥と沈降促進材とに分離し、分離した沈降促進材を該第２凝集槽に戻すサイクロンとを備えた凝集沈殿装置を制御する方法において、該凝集沈殿装置を停止させるときに、該第１凝集槽への原水供給を停止し、所定時間が経過した後に前記引抜ポンプを停止するよう制御することを特徴とする。
【００１９】
第４発明の沈殿槽は、底部にピットを有する沈殿槽において、該ピット内のスラリーを撹拌するピット撹拌手段が設けられており、該ピット撹拌手段は、上下方向に延在する回転軸と、該回転軸を回転させる駆動手段と、一端が該回転軸に固定され、他端が棒形または帯形の長尺部材として下方向に延在して下端がピット内に位置する撹拌部材とを有することを特徴とする。
【発明の効果】
【００２０】
本発明の凝集沈殿装置では、撹拌部材が下方向に延伸する棒形または帯形の長尺部材を含んでおり、ピット内のスラリーを十分に撹拌することができる。このため、凝集沈殿処理効果が悪化したときに、ピット内の閉塞を抑制しつつ、凝集剤や沈降促進材の添加量を多くする運転を行うことが可能となる。
【００２１】
本発明の一態様では、凝集沈殿装置を停止させるときに、第１凝集槽への原水供給を停止した後、引抜ポンプを停止させることにより、ピット、引抜ライン、サイクロン内に沈降促進材が残ることが防止ないし抑制される。このため、凝集沈殿処理効果が悪化したときに、ピット、引抜ライン、サイクロン内の閉塞を抑制しつつ、凝集剤や沈降促進材の添加量を多くする運転を行うことが可能となる。
【００２２】
本発明の一態様では、凝集沈殿装置の停止期間中に第２凝集槽内を撹拌することにより、第２凝集槽内での沈殿物の固化ないし固着を防止することができる。
【図面の簡単な説明】
【００２３】
【図１】実施の形態に係る凝集沈殿装置の構成図である。
【図２】沈殿槽のピット部分の縦断面図である。
【図３】図２のIII−III線断面図である。
【発明を実施するための形態】
【００２４】
以下に、本発明の望ましい実施の形態を、図面を参照して説明する。図１は、実施の形態に係る凝集沈殿装置１を示している。この凝集沈殿装置１は、第１凝集槽２と、第２凝集槽３と、それに隣接配置された沈殿槽４を備えている。第１凝集槽２には、原水槽（図示略）から原水ポンプ５を介して原水が導入され、第１凝集剤として無機凝集剤（図１ではＰＡＣ）が第１薬注装置６によって添加されて、攪拌機７によって攪拌される。第１凝集槽２においては、無機凝集剤が懸濁物質を凝集させて微細なフロックが生成する。図示は省略するが、第１凝集槽２には、ｐＨ計及びｐＨ調整剤（苛性ソーダ、硫酸、塩酸など）の添加装置とを有するｐＨ調整装置が設けられており、第１凝集槽２内のｐＨを所定範囲に維持できるよう構成されている。
【００２５】
第１凝集槽２からの第１凝集処理水は移流口８を介して第２凝集槽３に導入され、第２凝集剤として高分子凝集剤（ポリマー）が第２薬注装置９によって添加される。第２凝集槽３内には、砂などの沈降促進材が添加されており、攪拌機１０による攪拌により、沈降促進材を取り込んだ、比重の大きい凝集フロックが成長する。
撹拌機７，１０（撹拌手段）は、それぞれ、回転軸と、その上部の駆動モータＭと、下部の撹拌翼とで構成されている。
【００２６】
沈降促進材としては、砂のほか、各種スラグの破砕物なども用いることができる。沈降促進材の平均粒径は０．０１〜０．５ｍｍ程度が好ましく、真比重は２以上特に２．５以上で４以下が好ましいが、これに限定されない。
【００２７】
成長した凝集フロックを含む第２凝集処理水は、越流堰１２を越流して沈殿槽４に導入される。沈殿槽４では、第２凝集処理水中の凝集フロックが沈殿する。沈殿槽４内の上部には、複数の傾斜板１３よりなるセパレータが設置されており、凝集フロックの沈殿分離が促進される。セパレータを通り抜けた処理水は、流出室１５を経て流出配管１６から取り出される。沈殿槽４の底面は沈降促進材の安息角以上に傾斜して下方ほど縮径するテーパ形となっている。
【００２８】
沈殿槽４には、底面に沿って旋回するレーキ１４が設けられており、沈殿した凝集フロックがピット１７に寄せ集められる。レーキ１４の下辺部にはゴム製のヘラ（図示略）が設けられている。ピット１７には撹拌部材３０が設けられている。このピット１７は、側周面１７ａと、底面１７ｂとを有する。側周面１７ａは、下方ほど縮径するテーパー形となっている。
【００２９】
この実施の形態では、沈殿槽４は側周面の水平断面は正方形、底面は下部ほど縮径するテーパ形であり、レーキ１４の回転軸１４ａは沈殿槽４の軸心部に鉛直に設置されている。ピット１７の底面には、回転軸１４ａを支持する軸受１４ｂが設けられている。回転軸１４ａは上部駆動モータＭ（駆動手段）により回転駆動する。回転軸１４ａとその上部の駆動モータＭと撹拌部材とでピット撹拌手段が構成されている。
【００３０】
ピット１７の側周面１７ａの下部（又は底面１７ｂ）には、沈殿した凝集フロックを含むスラリーを抜き出すための引抜ライン１８が接続されている。この引抜ライン１８の接続部は、ピット１７内に残留する沈降促進材の量を少なくするために、可能な限り低い位置とすることが好ましい。引抜ライン１８には、抜き出したスラリーをサイクロン２０に送る引抜ポンプ１９が設けられている。引抜ライン１８内のスラリー流速が５００ｍ／ｈ以上となるように設計されるのが好ましい。
【００３１】
サイクロン２０は、軸心方向を鉛直方向として設置されている。サイクロン２０では、送られてきたスラリーを遠心分離により、サイクロン軸心部に集まる汚泥と、サイクロン側周面に集まる沈降促進材とに分離する。分離された沈降促進材は、サイクロン２０の底部から、配管２１によって再び第２凝集槽３内に戻されて循環使用される。
【００３２】
サイクロン２０で軸心側に集められた分離汚泥は、サイクロン２０の上面中央部の汚泥出口に接続された配管２２に流出する。
【００３３】
この凝集沈殿装置は、原水ポンプ５、撹拌機７，１０上部の駆動モータＭ、撹拌部材３０（レーキ１４）の上部の駆動モータＭ及び引抜ポンプ１９を制御する制御器２５が設置されている。
【００３４】
撹拌部材３０は、図２，３に詳細に示される通り、レーキ１４の回転軸１４ａに固設されたフランジ３１と、基端側が該フランジ３１に対しリベット、ボルト等の固着手段３２によって固定され、放射方向に延設された複数本のアーム３３と、該アーム３３からピット１７内を下方に向かって延設された棒形の長尺部材としての第１及び第２の撹拌バー３４，３５とを有する。
【００３５】
この実施の形態では、フランジ３１は、ピット１７の上端付近の高さに設置されているが、それよりも若干上又は下に設置されてもよい。また、アーム３３は回転軸１４ａの周方向に９０°毎に合計４本設けられているが、その本数はこれに限定されない。
【００３６】
撹拌バー３５はアーム３３の先端側に設けられている。撹拌バー３５はピット１７の側周面１７ａの上方に位置している。撹拌バー３４は、撹拌バー３５とフランジ３１との間に設けられている。撹拌バー３４はピット１７の底面１７ｂの上方に位置している。撹拌バー３５の下端とピット１７の側周面１７ａとの上下間隔、及び撹拌バー３４の下端とピット１７の底面１７ｂとの間隔は、いずれも可能な限り小さいことが好ましい。
【００３７】
各撹拌バー３４，３５は、水平断面がＬ字形のアングル材よりなる。撹拌バー３４，３５は、アーム３３に重なる第１片３４ａ，３５ａと、該第１片３４ａ，３５ａに垂直な第２片３４ｂ，３５ｂを有している。第１片３４ａ，３５ａ及び第２片３４ｂ，３５ｂの幅は４０〜１５０ｍｍ特に６０〜９０ｍｍ程度が好ましい。撹拌バー３４，３５の間隔は、８０〜２００ｍｍ特に１２０〜１６０ｍｍ程度が好ましい。
【００３８】
この実施の形態では、撹拌バーは各アーム３３に２本ずつ設けられているが、３本以上設けられてもよい。
【００３９】
また、この実施の形態では、撹拌バー３４，３５の設置位置（回転軸１４ａからの距離）は各アーム３３において同じとなっているが、撹拌バー３４，３５の設置位置を一部のアーム３３で又は各アーム３３毎に異ならせてもよい。
【００４０】
撹拌部材３０は、図３において時計回り方向に回転駆動されるが、反時計回り方向に回転駆動されてもよい。
【００４１】
この凝集沈殿装置１では、撹拌部材３０が回転する際に、該撹拌バー３４，３５がピット１７内の沈殿物から受ける反力は比較的小さい。また、撹拌バー３４，３５がアーム３５の長手方向に間隔をおいて設けられているので、共回りを防止しつつピット１７内の沈殿物の全体を十分に撹拌することができる。
【００４２】
この実施の形態では、撹拌バー３４，３５は、第１片３４ａ，３５ａに対し垂直な第２片３４ｂ，３５ｂを備えているので、剛性が高く、撹拌部材３０が回転する際に撓むことが防止される。
この実施の形態では、長尺部材として直線状の棒形のバーが鉛直方向に設けられているが、斜め方向に設けてもよいし、曲線状でもよく、また棒形でなく帯形のもの（例えばリボンスクリュー）でもよく、共回りが発生しにくく、かつピット内のスラリーの全体を十分にほぐすことができれば特に限定されない。
【００４３】
この凝集沈殿装置１にあっては、原水槽（図示略）内の水位が規定水位よりも低下したときには、原水ポンプ５、第１及び第２薬注装置６，９と、撹拌機１０とを停止させ、ｐＨ調整装置（図示略）と撹拌機７と引抜ポンプ１９とは継続して稼働させる。
【００４４】
凝集沈殿装置１の運転を停止するに際しては、まず原水ポンプ５の停止、第１及び第２薬注装置６，９の停止を行い、それから所定時間（例えば５〜２０分特に５〜１０分程度）が経過した後、撹拌機７，１０、撹拌部材３０及び引抜ポンプ１９を停止させるようにするのが好ましい。このようにすれば、ピット１７、引抜ライン１８、サイクロン２０内に残留する沈降促進材その他の沈殿物が少なくなり、沈降促進材等が固結ないし固着することが防止される。
【００４５】
この凝集沈殿装置１にあっては、原水の処理を行わない運転停止期間中にも間欠的又は連続的に第２凝集槽３内を撹拌し、沈殿物の固着ないし固結を防止してもよい。なお、運転停止期間中に間欠的に撹拌する場合は、連続的に作動させる場合よりも動力コストが安価となる。
【００４６】
本発明に係る凝集沈殿装置およびその制御方法は、製鉄所やセメント工場等のヤード排水の処理に好適であるが、その他の各種排水の処理にも適用可能である。
【００４７】
本発明において使用する無機凝集剤や高分子凝集剤の種類はとくに限定されず、無機凝集剤としては、たとえばポリ塩化アルミニウム（ＰＡＣ）、塩化第二鉄、硫酸第二鉄、ポリ硫酸鉄などを使用できる。高分子凝集剤としては、たとえばノニオン性、カチオン性、アニオン性あるいは両性の高分子凝集剤を用いることができる。
【００４８】
上記実施の形態は本発明の一例であり、本発明は上記以外の態様とされてもよい。例えば、上記実施の形態では、撹拌部材３０はレーキ１４と共に回転軸１４ａ回りに回転するものとされているが、レーキ１４とは別の回転軸及び駆動手段によって回転駆動されてもよい。
【００４９】
上記説明は凝集沈殿装置に関するものであり、沈殿槽４は凝集沈殿装置１に組み込まれたものとなっているが、上記構成の沈殿槽４は凝集沈殿装置１から独立した固液分離設備として用いられてもよい。
【符号の説明】
【００５０】
１  凝集沈殿装置
２  第１凝集槽
３  第２凝集槽
４  沈殿槽
５  原水ポンプ
６  第１薬注装置
９  第２薬注装置
１９  引抜ポンプ
２０  サイクロン
３０  撹拌部材
３３  アーム
３４  第１の撹拌バー
３５  第２の撹拌バー
３４ａ，３５ａ  第１片
３４ｂ，３５ｂ  第２片
【図１】
2020025920.tif 000003
【図２】
2020025920.tif 000004
【図３】
2020025920.tif 000005